【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】
処理ユニットと、画像を表示するディスプレイ装置とを含み、前記ディスプレイ装置が複数の画素を有し、各画素が各々異なるカラーの複数の画素サブコンポーネントを含むコンピュータ・システムにおいて、表示画像の解像度を高める方法であって、
画像を表す情報のサンプルを、画素の個々の画素サブコンポーネントにマッピングするステップであって、前記サンプルの各々を画素全体にマッピングする代わりに、各画素サブコンポーネントを少なくとも１つの空間的に異なるサンプルにマッピングする、ステップと、
前記少なくとも１つのマッピングした空間的に異なるサンプルに基づいて、各画素サブコンポーネントに対し、別個の光度値を発生するステップと、
前記別個の光度値を用いて前記画像を表示し、前記画像のサンプル部分を表す、画素全体ではなく、前記画素の画素サブコンポーネントの各々を生じる、ステップと、
を備えた方法。
【請求項２】
請求項１記載の方法において、前記複数の画素の画素サブコンポーネントを、前記ディスプレイ装置上において同じカラーの画素サブコンポーネントの垂直ストライプを形成するように配列し、前記方法は、更に、前記サンプルをマッピングする前記ステップの前に、前記ストライプに平行な方向におけるよりも大きな倍率で、前記ストライプに垂直な方向に、前記画像を表す情報をスケーリングするステップを含む、方法。
【請求項３】
請求項１または２記載の方法において、前記サンプルをマッピングする前記ステップは、前記画素の画素サブコンポーネントの各々に、前記サンプルの１つのみをマッピングするアクトを備えた、方法。
【請求項４】
請求項１または２記載の方法において、前記サンプルをマッピングする前記ステップは、前記画素の画素サブコンポーネントの少なくとも１つに、２つ以上の前記サンプルをマッピングするアクトを備えた、方法。
【請求項５】
請求項４記載の方法において、前記サンプルをマッピングするステップは、異なる数のサンプルを、前記画素の画素サブコンポーネントの各々にマッピングするアクトを備えた、方法。
【請求項６】
請求項１または２記載の方法において、前記サンプルをマッピングするステップは、前記画像を表す前記情報が前記画像の輪郭を含み、前景カラーおよび背景カラーを関連付けるアクトを備えた、方法。
【請求項７】
請求項６記載の方法において、各画素サブコンポーネントに対し光度値を発生する前記ステップは、前記画像の相対的位置、および各画素サブコンポーネントにマッピングした少なくとも１つの空間的に異なるサンプルに基づいて、オンまたはオフの光度値を選択するステップを含む、方法。
【請求項８】
処理ユニットと、画像を表示するディスプレイ装置とを含み、前記ディスプレイ装置が複数の画素を有し、各画素が各々異なるカラーの少なくとも３つの画素サブコンポーネントを含むコンピュータ・システムにおいて、表示画像の解像度を高める方法であって、
画像を表す情報をサンプリングして、複数のサンプルを得るアクトと、
第１のサンプルを、前記ディスプレイ装置の画素の第１の画素サブコンポーネントにマッピングするアクトと、
第２のサンプルを、前記第１画素サブコンポーネントに隣接する第２の画素サブコンポーネントにマッピングするアクトであって、前記第２画素サブコンポーネントが、ｉ）前記第１画素サブコンポーネントと同じ画素のサブコンポーネント、ｉｉ）隣接する画素、のうちの一方である、アクトと、
前記第１および第２画素サブコンポーネントの各々に、これにマッピングしたサンプルに基づいて、別個の光度値を発生するアクトと、
前記別個の光度値を用いて、前記第１および第２画素サブコンポーネントの各々を別個に制御することによって、前記画像を表示するアクトと、
を備えた、方法。
【請求項９】
請求項８記載の方法において、前記複数の画素の画素サブコンポーネントを、前記ディスプレイ装置上において同じカラーの画素サブコンポーネントの垂直ストライプを形成するように配列し、前記画像を表示する前記アクトによって、前記ストライプに垂直な方向に、前記ストライプに垂直な方向の前記画素の次元の値の整数倍ではない値を有する次元の部分を有するテキスト・キャラクタを生じる、方法。
【請求項１０】
請求項９記載の方法において、前記テキスト・キャラクタの前記部分が、前記テキスト・キャラクタのステムであり、前記ステムの寸法が、前記画素の幅の整数倍でない、方法。
【請求項１１】
請求項８または９記載の方法において、前記ディスプレイ装置は液晶ディスプレイを含み、前記第１、第２、および第３の画素サブコンポーネントは、それぞれ、赤色、緑色、および青色を有する、方法。
【請求項１２】
請求項９記載の方法であって、更に、前記情報をサンプリングするアクトの前に、前記画像を表す前記情報を、前記ストライプに垂直な方向に、前記サンプルに平行な方向におけるよりも大きな係数でスケーリングするアクトを含む、方法。
【請求項１３】
請求項８または９記載の方法であって、更に、前記画像を表す前記情報に対してカラー処理動作を行なうアクトを含み、前記カラー処理動作が、前記サンプルを前記第１、第２、および第３の画素サブコンポーネントにマッピングした際に前記情報に生じたカラー歪みを補償する、方法。
【請求項１４】
処理ユニットと、画像を表示するディスプレイ装置とを含み、前記ディスプレイ装置が複数の画素を有し、各画素が各々異なるカラーの複数の画素サブコンポーネントを含むコンピュータ・システムにおいて、表示画像の解像度を高める方法のコンピュータ読み取り可能命令を実装するコンピュータ・プログラム製品であって、該コンピュータ・プログラム製品が、
前記方法を実行する実行可能命令を担持するコンピュータ読み取り可能媒体を含み、
前記方法が、
画像を表す情報のサンプルを、画素の個々の画素サブコンポーネントにマッピングするステップであって、前記サンプルの各々を画素全体にマッピング代わりに、各画素サブコンポーネントを少なくとも１つの空間的に異なるサンプルにマッピングする、ステップと、
前記少なくとも１つのマッピングした空間的に異なるサンプルに基づいて、各画素サブコンポーネントに対し、別個の光度値を発生するステップと、
前記別個の光度値を用いて前記画像を表示し、前記画像のサンプル部分を表す、画素全体ではなく、前記画素の画素サブコンポーネントの各々を生じる、ステップと、
を備えた、コンピュータ・プログラム製品。
【請求項１５】
請求項１４記載のコンピュータ・プログラム製品において、前記複数の画素の画素サブコンポーネントを、前記ディスプレイ装置上において同じカラーの画素サブコンポーネントの垂直ストライプを形成するように配列し、前記方法が、更に、前記サンプルをマッピングする前記ステップの前に、前記ストライプに平行な方向におけるよりも大きな倍率で、前記ストライプに垂直な方向に、前記画像を表す情報をスケーリングするステップを含む、コンピュータ・プログラム製品。
【請求項１６】
請求項１４または１５記載のコンピュータ・プログラム製品において、前記サンプルをマッピングする前記ステップは、前記画素の画素サブコンポーネントの各々に、前記サンプルの１つのみをマッピングするアクトを備えた、コンピュータ・プログラム製品。
【請求項１７】
請求項１４または１５記載のコンピュータ・プログラム製品において、前記サンプルをマッピングする前記ステップは、前記画素の画素サブコンポーネントの少なくとも１つに、２つ以上の前記サンプルをマッピングするアクトを備えた、コンピュータ・プログラム製品。
【請求項１８】
請求項１７記載のコンピュータ・プログラム製品において、前記サンプルをマッピングするステップは、異なる数のサンプルを、前記画素の画素サブコンポーネントの各々にマッピングするアクトを備えた、コンピュータ・プログラム製品。
【請求項１９】
請求項１４または１５記載のコンピュータ・プログラム製品において、前記サンプルをマッピングする前記ステップは、前記画像を表す前記情報が前記画像の輪郭を含み、前景カラーおよび背景カラーを関連付けるアクトを備えた、コンピュータ・プログラム製品。
【請求項２０】
請求項１９記載のコンピュータ・プログラム製品において、各画素サブコンポーネントに対し光度値を発生する前記ステップは、前記画像の相対的位置と、および各画素サブコンポーネントにマッピングした前記少なくとも１つの空間的に異なるサンプルとに基づいて、オンまたはオフの光度値を選択するステップを含む、コンピュータ・プログラム製品。
【請求項２１】
処理ユニットと、画像を表示するディスプレイ装置とを含み、前記ディスプレイ装置が複数の画素を有し、各画素が各々異なるカラーの複数の画素サブコンポーネントを含むコンピュータ・システムにおいて、表示画像の解像度を高める方法のコンピュータ読み取り可能命令を実装するコンピュータ・プログラム製品であって、該コンピュータ・プログラム製品が、
前記方法を実行する実行可能命令を担持するコンピュータ読み取り可能媒体を含み、
前記方法が、
画像を表す情報をサンプリングして、複数のサンプルを得るアクトと、
第１のサンプルを、前記ディスプレイ装置の画素の第１の画素サブコンポーネントにマッピングするアクトと、
第２のサンプルを、前記第１画素サブコンポーネントに隣接する第２の画素サブコンポーネントにマッピングするアクトであって、前記第２画素サブコンポーネントが、ｉ）前記第１画素サブコンポーネントと同じ画素のサブコンポーネント、ｉｉ）隣接する画素、のうちの一方である、アクトと、
前記第１および第２画素サブコンポーネントの各々に対し、これにマッピングしたサンプルに基づいて、別個の光度値を発生するアクトと、
前記別個の光度値を用いて、前記第１および第２画素サブコンポーネントの各々を別個に制御することによって、前記画像を表示するアクトと、
を備えた、コンピュータ・プログラム製品。
【請求項２２】
請求項２１記載のコンピュータ・プログラム製品において、前記複数の画素の画素サブコンポーネントを、前記ディスプレイ装置上において同じカラーの画素サブコンポーネントの垂直ストライプを形成するように配列し、前記画像を表示する前記アクトによって、前記ストライプに垂直な方向に、前記ストライプに垂直な方向における前記画素の次元の値の整数倍ではない値を有する次元の部分を有するテキスト・キャラクタを生じる、コンピュータ・プログラム製品。
【請求項２３】
請求項２２記載のコンピュータ・プログラム製品において、前記テキスト・キャラクタの前記部分が、前記テキスト・キャラクタのステムであり、前記ステムの寸法が、前記画素の幅の整数倍でない、コンピュータ・プログラム製品。
【請求項２４】
請求項２１または２２記載のコンピュータ・プログラム製品において、前記ディスプレイ装置は液晶ディスプレイを含み、前記第１、第２、および第３の画素サブコンポーネントは、それぞれ、赤色、緑色、および青色を有する、コンピュータ・プログラム製品。
【請求項２５】
請求項２２記載のコンピュータ・プログラム製品であって、更に、前記情報をサンプリングする前記アクトの前に、前記画像を表す前記情報を、前記ストライプに垂直な方向に、前記ストライプに平行な方向におけるよりも大きな係数でスケーリングするアクトを含む、コンピュータ・プログラム製品。
【請求項２６】
請求項２１または２２記載のコンピュータ・プログラム製品であって、更に、前記画像を表す前記情報に対してカラー処理動作を行なうアクトを含み、前記カラー処理動作が、前記サンプルを前記第１、第２、および第３画素サブコンポーネントにマッピングした際に前記情報に生じたカラー歪みを補償する、コンピュータ・プログラム製品。